(57)【要約】【課題】廃棄物処理炉に併設されるボイラ内でスートブローを行う場合においても、廃棄物処理炉内での圧力変動を抑制し、炉内ガスの漏出を防止できる炉内圧の制御方法を提供する。【解決手段】［１］ボイラが併設された廃棄物処理炉における炉内圧の制御方法であって、前記ボイラ内でスートブローを行う際に、スートブロー開始前に予め炉内圧を定常操業圧より低下させる。［２］ボイラが併設された廃棄物処理炉における炉内圧の制御方法であって、前記ボイラ内でのスートブローの空気流量又は蒸気流量を、前記廃棄物処理炉内の圧力の計測値に基づき調節する。【選択図】            図１
2004251564.tif 000002
【特許請求の範囲】
【請求項１】
ボイラが併設された廃棄物処理炉における炉内圧の制御方法であって、
前記ボイラ内でスートブローを行う際に、スートブロー開始前に予め炉内圧を定常操業圧より低下させることを特徴とする炉内圧の制御方法。
【請求項２】
ボイラが併設された廃棄物処理炉における炉内圧の制御方法であって、
前記ボイラ内でのスートブローの空気流量又は蒸気流量を、前記廃棄物処理炉内の圧力の計測値に基づき調節することを特徴とする炉内圧の制御方法。
【発明の詳細な説明】
【０００１】
【発明の属する技術分野】
本発明は、廃棄物処理炉における炉内圧の制御方法に関する。
【０００２】
【従来の技術】
都市ゴミ、下水汚泥、し尿汚泥、可燃性産業廃棄物等（以下、単に「廃棄物」という。）を処理する廃棄物処理炉には、廃棄物処理炉から排出されるガス、例えば焼却炉から排出される燃焼ガス又は溶融炉から排出される生成ガスの廃熱を有効利用するためにボイラが併設されるのが一般的である。
【０００３】
このようなボイラで熱回収を行う場合、ボイラ内の伝熱管表面に排出ガス中の飛灰等が付着（以下、これを「付着灰」という。）すると熱回収の効率が損なわれるため、定期的に伝熱管表面の付着灰の除去が行われる。
【０００４】
伝熱管表面の付着灰を除去する方法の１つとして、高圧の空気や蒸気によって付着灰を吹き払うスートブロー方式が知られている。
【０００５】
【特許文献１】
特開平１１−３１６０１２号公報
【０００６】
【発明が解決しようとする課題】
しかし、スートブロー方式による付着灰の除去方法を用いた場合、スートブロー時にボイラ内に噴射される空気又は蒸気により、併設される廃棄物処理炉内のガス総量が瞬間的に増加し、炉内圧制御装置による制御動作が間に合わずに、炉内圧が大きく変動してしまう。通常、廃棄物処理炉内は炉内ガスの外部への漏出を防止するため大気圧に対してわずかに負圧となるように制御されているが、スートブロー時の圧力変動により炉内圧が正圧となった場合には、ＣＯ等の燃焼ガスが炉外に漏出する恐れがあり、屋内設置プラントの場合、室内の環境を悪化させる場合がある。
【０００７】
本発明は以上の課題を解決するためになされたもので、廃棄物処理炉に併設されるボイラ内でスートブローを行う場合においても、廃棄物処理炉内での圧力変動を抑制し、炉内ガスの漏出を防止できる炉内圧の制御方法を提供することを目的とする。
【０００８】
【課題を解決するための手段】
このような課題を解決するための本発明の特徴は以下の通りである。
［１］ボイラが併設された廃棄物処理炉における炉内圧の制御方法であって、前記ボイラ内でスートブローを行う際に、スートブロー開始前に予め炉内圧を定常操業圧より低下させることを特徴とする炉内圧の制御方法。
［２］ボイラが併設された廃棄物処理炉における炉内圧の制御方法であって、前記ボイラ内でのスートブローの空気流量又は蒸気流量を、前記廃棄物処理炉内の圧力の計測値に基づき調節することを特徴とする炉内圧の制御方法。
【０００９】
【発明の実施の形態】
以下、本発明の実施形態の一例を説明する。
【００１０】
図１は、本実施形態に係る炉内圧の制御方法が適用される廃棄物処理システムの一例を示すブロック図、図２は、本実施形態に係る制御フローの一例を示す図である。
【００１１】
図１に示す廃棄物処理システムは、焼却炉や溶融炉等の廃棄物処理炉１と、前記廃棄物処理炉１に併設され廃棄物処理炉１から排出されたガスから廃熱の回収を行うボイラ２と、前記ボイラ２から排出されるガスのダスト除去及び無害化処理を行う排ガス処理設備３と、前記排ガス処理設備３の下流側に設けられ排ガスの誘引を行う誘引送風機５と、前記排ガス処理設備３と誘引送風機５との間に設けられ誘引送風機５による誘引流量を調節することで前記廃棄物処理炉１内の圧力の調整を行う炉内圧調整ダンパ４と、前記廃棄物処理炉１内の圧力を計測する圧力計８からの信号に基づき所定の炉内圧となるように前記炉内圧調整ダンパ４の開度を調整する炉内圧制御装置６とを有する。
【００１２】
また、前記ボイラ２には図示しないスートブロー装置が備えられており、スートブロー制御装置７からの制御信号により、スートブローの開始・終了、スートブローの設定条件（例えば、スートブローの蒸気流量等）等の制御が行なわれる。
【００１３】
このようなシステム構成において、本実施形態に係る炉内圧の制御方法は、前記ボイラ２内でスートブローを行う際に、スートブロー開始前に予め廃棄物処理炉１内の炉内圧を定常操業圧より低下させるものである。以下、図２により、炉内圧制御装置６における制御フローの一例を説明する。
▲１▼定常操業運転ステップ（Ｓ１）
定常操業運転時においては、炉内圧制御装置６は、廃棄物処理炉１内の炉内圧が予め定められた所定の定常操業圧、例えば−０．１ｋＰａとなるように、圧力計８からの信号に基づき炉内圧調整ダンパ４の開度調整を行う。
▲２▼炉内圧低下ステップ（Ｓ２）
炉内圧制御装置６は、スートブロー制御装置７からスートブロー開始信号を受信した場合、廃棄物処理炉１内の炉内圧を定常操業圧（−０．１ｋＰａ）より低い圧力、例えば−０．２ｋＰａとなるように、圧力計８からの信号に基づき炉内圧調整ダンパ４の開度調整を行う。ここで、炉内圧制御装置６は、スートブロー終了信号を受信するまでは、前記定常操業圧より低い圧力（−０．２ｋＰａ）となるように炉内圧の制御を続ける。
▲３▼炉内圧復帰ステップ（Ｓ３）
炉内圧制御装置６は、スートブロー制御装置７からスートブロー終了信号を受信した場合、廃棄物処理炉１内の炉内圧を前記定常操業圧より低い圧力（−０．２ｋＰａ）から定常操業圧（−０．１ｋＰａ）となるように、圧力計８からの信号に基づき炉内圧調整ダンパ４の開度を調整する。
▲４▼定常操業運転ステップ（Ｓ１）に戻り制御を続ける。
【００１４】
以上のように廃棄物処理炉１内の炉内圧を制御することにより、ボイラ２内でスートブローを行った場合においても廃棄物処理炉内での圧力変動が抑制でき、炉内圧が正圧となることを防止できる。
【００１５】
以下、本発明に係る炉内圧の制御方法の他の実施形態を説明する。
【００１６】
図３は、本実施形態が適用される廃棄物処理システムの一例を示すブロック図である。なお、図１と同様の構成部分には同一の番号を付して説明を省略する。
また、図４は、本実施形態に係る炉内圧制御装置６における制御フローの一例を示す図である。
【００１７】
本実施形態に係る炉内圧の制御方法は、ボイラ２内でのスートブローの空気流量又は蒸気流量を、廃棄物処理炉内の圧力の計測値に基づき調節するものである。
以下、図４により、炉内圧制御装置６における制御フローの一例を説明する。なお、図４においては、スートブローの蒸気流量を調節する場合を示しているが、空気流量を調節する場合も同様である。
▲１▼炉内圧制御装置６は、スートブロー制御装置７からのスートブロー開始信号の受信の有無を判断する（Ｓ１）。
▲２▼スートブロー制御装置７からスートブロー開始信号を受信した場合、圧力計８で計測された廃棄物処理炉１内の炉内圧と、予め定められた所定の設定値、例えば−０．１ｋＰａとの関係が、次式（１）をみたすか否かを判断する（Ｓ２）。
炉内圧＞設定値      （１）
▲３▼前記（１）式をみたす場合、炉内圧制御装置６はスートブロー制御装置７に対しスートブローの蒸気流量減少指示信号を送信する（Ｓ３）。スートブローの蒸気流量減少指示信号を受信したスートブロー制御装置７は、スートブローの蒸気流量調整弁を制御して蒸気流量を所定量減少させる。
▲４▼前記Ｓ２において（１）式をみたさない場合、或いは前記Ｓ３でのスートブローの蒸気流量減少指示信号送信後、圧力計８で計測された廃棄物処理炉１内の炉内圧と、予め定められた所定の設定値、例えば−０．１ｋＰａとの関係が、次式（２）をみたすか否かを判断する（Ｓ４）。
炉内圧＜設定値      （２）
▲５▼前記（２）式をみたす場合、炉内圧制御装置６はスートブロー制御装置７に対しスートブローの蒸気流量増加指示信号を送信する（Ｓ５）。スートブローの蒸気流量増加指示信号を受信したスートブロー制御装置７は、スートブローの蒸気流量調整弁を制御して蒸気流量を所定量増加させる。
▲６▼炉内圧制御装置６は、スートブロー制御装置７からのスートブロー終了信号の受信の有無を判断する（Ｓ６）。前記終了信号を受信した場合は処理を終了し、受信しない場合はＳ２からの処理を継続する。
【００１８】
以上のように、スートブローの蒸気流量を調節することにより、ボイラ２内でスートブローを行った場合においても廃棄物処理炉内での圧力変動が抑制でき、炉内圧が正圧となることを防止できる。
【００１９】
【実施例】
図５に、実施例としてボイラが併設された実際の焼却炉に本発明に係る炉内圧の制御方法を適用した場合のスートブロー時における炉内圧の実測結果（実線）を示す。制御は図２に示す制御フローにより行った。
【００２０】
また、比較例として本発明に係る炉内圧の制御方法を適用しない場合のスートブロー時における炉内圧の実測結果（破線）を示す。
【００２１】
図５に示すように、本発明方法を用いた場合、焼却炉に併設されるボイラ内でスートブローを行っている間においても炉内圧の変動が低く抑えられ、且つ、炉内圧が正圧となるのを防止できる。
【００２２】
【発明の効果】
以上説明したように本発明によれば、廃棄物処理炉に併設されるボイラ内でスートブローを行う場合においても、廃棄物処理炉内での圧力変動を抑制し、炉内ガスの漏出を防止できる炉内圧の制御方法が提供される。
【図面の簡単な説明】
【図１】本発明の実施形態に係る炉内圧の制御方法が適用される廃棄物処理システムの一例を示すブロック図である。
【図２】本発明の実施形態に係る制御フローの一例を示す図である。
【図３】本発明の他の実施形態に係る炉内圧の制御方法が適用される廃棄物処理システムの一例を示すブロック図である。
【図４】本発明の他の実施形態に係る制御フローの一例を示す図である。
【図５】ボイラが併設された実際の焼却炉に本発明に係る炉内圧の制御方法を適用した場合のスートブロー時における炉内圧の実測結果を示す図である。
【符号の説明】
１  廃棄物処理炉
２  ボイラ
３  排ガス処理設備
４  炉内圧調整ダンパ
５  誘引送風機
６  炉内圧制御装置
７  スートブロー制御装置
８  圧力計
【図１】
2004251564.tif 000003
【図２】
2004251564.tif 000004
【図３】
2004251564.tif 000005
【図４】
2004251564.tif 000006
【図５】
2004251564.tif 000007